(57)【要約】      （修正有）【課題】飲食等の際にも、フェイスシールド自体を取り外すことなく、飲食物や食器の種類等、使用局面に応じて、保護シート部材の跳ね上げ角度を任意の調節位置で保持可能なフェイスシールドを提供する。【解決手段】ブローバー部、鼻当て部、ブリッジ部及び智部が一体に形成された樹脂製のフロント部と、智部にヒンジ連結されることで回動自在に取着されるテンプル部４とからなるフレーム部材と、可撓性樹脂シート材からなる保護シート部材３とからなり、智部には、左右それぞれの外側の面から突出した軸部２ｇと、軸部２ｇの先端に設けられた軸部２ｇよりも拡幅した抜け止め部２ｈとからなる段付き突起部２ｆが突設され、保護シート部材３の左右それぞれの上端部には、段付き突起部２ｆが嵌入される取付穴部３ｃが形成され、取付穴部３ｃには、保護シート部材３を異なる角度で選択的に保持するための複数の係止部３ｄ、３ｅ、３ｆを有する構成とした。【選択図】図４
0003230499.tif 000002
【実用新案登録請求の範囲】
【請求項１】
可撓性樹脂シート材からなる保護シート部材と、前記保護シート部材を取着して顔面に装着するフレーム部材とから構成されるフェイスシールドであって、
前記フレーム部材は、ブローバー部、鼻当て部、ブリッジ部及び智部が一体に形成された樹脂製のフロント部と、前記智部にヒンジ連結されることで回動自在に取着されるテンプル部とからなり、
前記智部には、左右それぞれの外側の面から突出した軸部と、前記軸部の先端に設けられた軸部よりも拡幅した抜け止め部とからなる段付き突起部が形成されている一方、
前記保護シート部材は、透光性を有し、かつ、少なくとも鼻と口とを覆う形状であり、
保護シート部材の左右それぞれの上端部には、前記フレーム部材の段付き突起部が嵌入される取付穴部が形成され、
前記取付穴部には、前記保護シート部材を異なる角度で選択的に保持するための複数の係止部を有することを特徴とする、フェイスシールド。
【請求項２】
前記段付き突起部の軸部は横断面形状が横長形状であり、
前記複数の係止部は、前記軸部の横断面形状を相似的に拡大した形状の複数の穴が互いに所定の角度を有して重なって配置されることで形成されていることを特徴とする、請求項１に記載のフェイスシールド。
【請求項３】
前記保護シート部材は、額から顎先までを覆う形状であることを特徴とする、請求項１又は２に記載のフェイスシールド。
【考案の詳細な説明】
【技術分野】
【０００１】
本考案は、装着者自身が発する飛沫の飛散を阻止するとともに、空気中に飛散している飛沫の吸引による感染症を防止するためのフェイスシールドに関するものである。
【背景技術】
【０００２】
新型コロナウイルス（COVID-19）感染症の世界的な蔓延を受けて、日常生活や職場等においても、新型コロナウイルスの集団感染防止の方策として、「三つの密」（密閉空間、密集場所、密接場面）が重なる状況を避け、自己への感染を防止するとともに、他人に感染させないための生活様式への転換が強く求められている。
【０００３】
新型コロナウイルス感染症は、感染者が発する飛沫を通じても他者に感染することから、人どうしが密接する場合には、マスクを着用することにより、装着者自身が発する飛沫の飛散を防ぐとともに、空気中に飛散している飛沫の吸引を防ぐことが要請されている。
このように感染防止のためにマスク着用が要請される場面としては、対話面談時や懇談のための飲食時など、人と人とのコミュニケーションの場面にまで及ぶ。
【０００４】
しかるに、マスクは人の顔面の下半分、即ち両頬や鼻口の周辺を被覆してしまうため、会話の場面では声が聞きづらかったり、互いの表情が視認できなかったりするコミュニケーション上の障害となる。
【０００５】
また、マスクを外さないと飲食もできず、マスクを外して歓談しながら飲食すれば、飛沫感染の危険を生じるという不都合もある。さらに、夏季など高温期においては、その通気性の悪さから熱中症のリスクも引き起こすことにもつながる。
【０００６】
そこで、飛沫感染防止の要請を充たしつつ、通気性と表情の視認性を実現する飛沫防止具として、いわゆるフェイスシールドが用いられるようになった。このフェイスシールドとは、従来、主として、手術等の医療現場で用いられてきた防護具であって、透明樹脂シートによって顔の前面を覆うものである（特許文献１参照）。
【０００７】
フェイスシールドは、顔面前方に透明樹脂シートを立設させることにより、外気中に飛散している飛沫によって着用者の目鼻が汚染されるのを防止するとともに、着用者の鼻や口から発せられる飛沫の飛散を防止することを目的としている。
【０００８】
このようなフェイスシールドにおいては、透明樹脂シートを透かして着用者の表情を視認可能であり、着用者の鼻や口を直接被覆するものでないため、通気性を阻害することも少ないので呼吸も快適であり、発声も妨げられないので会話も聞き取りやすく、コミュニケーションを阻害する弊害も低減される。
【０００９】
しかし、飲食の場面等、鼻や口から飲食物を摂取する場合には、やはりフェイスシールドを外さざるを得ず、飲食時にはフェイスシールドを外し、飲食時の歓談の際には、飛沫感染防止のために再びフェイスシールドを装着する等、フェイスシールドの着脱を繰り返さざるを得ない不便さが残る。
【００１０】
この点、従来においては、フェイスシールドを着用したまま、透明シートの位置を適宜調節可能とされるフェイスシールドが考案されており、透明のシートを上方に跳ね上げて口元を一時的に露出させることができるように構成されている（特許文献２参照）。
【００１１】
飛沫感染防止のためにフェイスシールドを着用して飲食をする場合、飲食時の飛沫の飛散を防止しながら円滑に飲食をするためには、摂取する飲食物や使用する食器の種類に応じて、透明シート（シールド部材）の角度を調節する必要がある。
即ち、箸やフォーク・スプーン等で飲食物を口に運ぶ際には、透明シートを僅かに傾けて、箸等が口に接近できるだけの間隙を設ければ足りる。
これに対し、容器に入れた飲料を飲む場合には、飲料を口に注ぎ込むために首を後方に反らせつつ、口を開口して容器開口縁を下唇に接触させながら、容器内の飲料を喉の奥に流し込むことになる。この場合、首を後方にそらせた状態で飲料容器が口に接触できるだけのスペースを要することから、透明シートを口から離隔させるために大きく跳ね上げる必要がある。
【００１２】
透明シートを鼻や口から離隔させるほど、飲食のためのスペースが確保されるので、飲食はスムーズになるが、透明シートが鼻や口から離隔すれば、透明シートによって飛沫の飛散を防止する効果が低減して、飛沫感染のリスクは増大する。
そのため、飛沫感染防止のためにフェイスシールドを着用して飲食をする場合、飲食物や食器の種類に応じて、透明シートの角度を微妙に調整する必要がある。
【先行技術文献】
【特許文献】
【００１３】
【特許文献１】実用新案登録第３１９４８６５号
【特許文献２】実用新案登録第３２２７８４４号
【考案の概要】
【考案が解決しようとする課題】
【００１４】
しかるに、従来技術の特許文献２のフェイスシールドでは、透明シートの両端部に切欠部を設けて、その切欠部により制限された範囲で透明シートを旋回させることにより、透明シートの跳ね上げ角度を調節するものに過ぎず、跳ね上げ量を中途の位置に保持した場合には、ずれ落ちてしまうという課題があった。
【００１５】
本考案は、上記課題解決のための手段を提供するものであり、飛沫感染防止の要請を充足しつつ、人の表情の視認性を維持し、発声及びその聞き取りを阻害しないフェイスシールドであって、飲食等の際にも、フェイスシールド自体を取り外すことなく、飲食物や食器の種類等、使用局面に応じて、保護シート部材の跳ね上げ角度を任意の調節位置で保持可能なフェイスシールドを提供することにある。
【課題を解決するための手段】
【００１６】
（基本構成）
本考案者が上記課題を解決するために採用した手段は次のとおりである。
本考案のフェイスシールドは、可撓性樹脂シート材からなる保護シート部材と、前記保護シート部材を取着して顔面に装着するフレーム部材を基本構成としている。
【００１７】
（フレーム部材の構成）
前記フレーム部材は、樹脂製のフロント部と、前記智部にヒンジ連結されることで回動自在に取着されるテンプル部とからなる。
前記フロント部は、ブローバー部、鼻当て部、ブリッジ部及び智部が一体に成形された構成としており、部品のつなぎ目の無い形状であるのが好ましい。
【００１８】
また、前記智部には、左右それぞれの外側の面から突出した段付き突起部を形成している。前記段付き突起部は、前記智部から突出した軸部と、前記軸部の先端に設けられた軸部よりも拡幅した抜け止め部とからなる。この軸部の横断面形状は横長形状であることが好ましい。
【００１９】
（保護シート部材の構成）
一方、前記保護シート部材は、透光性を有し、少なくとも鼻と口とを覆う形状に成形されている。
保護シート部材の好適な形状としては、人の顔の輪郭の下半分のように先細りした盾形とすることができるが、額から顎先までを覆う形状とすることもできる。
【００２０】
また、保護シート部材の左右それぞれの上端部には、取付穴部が形成されており、この取付穴部に前記フレーム部材の段付き突起部を嵌入している。
即ち、保護シート部材を取り付ける際には、保護シート部材が可撓性樹脂で構成されており可撓性を有するので、前記抜け止め部よりも取付穴部の方が大きく広がり、抜け止め部を乗り越え取付穴部に軸部が挿通した状態となることで、段付き突起部が嵌入される。
これに対し、保護シート部材を取り外す際には、前記同様の機構により、前記抜け止め部よりも取付穴部の方が大きく広がり、抜け止め部を乗り越えて段付き突起部から取り外すことができる。
【００２１】
（取付穴部の構成）
前記取付穴部には、前記保護シート部材を異なる角度で選択的に保持するための複数の係止部を有している。
この複数の係止部の好適な例として、前記軸部の横長の横断面形状を相似的に拡大した形状の複数の穴が互いに所定の角度を有して重ねて配置することで形成することができる。
【００２２】
この複数の係止部のうち、一の係止部に段付き軸部が係止した状態から、保護シート部材を跳ね上げ或いは下ろす操作により、可撓性のある保護シート部材の一の係止部の一部が変形して軸部が乗り上げ、隣接する他の係止部に係止される。これにより、着用者は保護シート部材を所定の角度に段階的に保持することができる。
【考案の効果】
【００２３】
本考案のフェイスシールドは、取付穴部に複数の係止部を設けたことにより、着用者は保護シート部材を跳ね上げることによって、係止部に軸部がスムーズに係止され、保護シート部材が、口及び鼻の前面に顔面と略平行に配置された位置から、正面視で鼻及び口が露出する位置まで、係止部の数に応じて段階的に跳ね上げることができる。
【００２４】
詳述すると、保護シート部材を最大の角度まで跳ね上げた状態には、正面視で鼻及び口は露出して見えるが、目は保護シート部材によって飛沫から保護されている状態となる。この位置まで跳ね上げると、例えばコップの飲料を飲む際にコップを口にして大きく傾けても保護シート部材と干渉することはない一方で、目は保護シート部材で飛沫から保護されるため、フェイスシールドを完全に外して飲むよりも手早く、かつ、感染リスクを抑えて飲むことができる。
【００２５】
また、保護シート部材を中間の係止部に係止した場合には、その係止部の位置によって保護シート部材が飛沫から保護することのできる顔の部位を調節することができる。例えば、正面視で目及び鼻は保護シート部材で保護されるが口は露出して見える位置に係止すると、コップの飲料をストローで飲む場合や箸で料理を口に運ぶ際に保護シート部材が邪魔にならない一方で、目や鼻は保護シート部材で飛沫から保護されるため、フェイスシールドを完全に外して飲食するよりも手早く、かつ、感染リスクを抑えて飲食することができる。
【００２６】
このように、係止部の数に応じて、保護シート部材を任意の位置を選択して段階的に係止することができるとともに、保護シート部材を係止部に確実に係止することで、顔の上下動作等によって保護シート部材がずれ落ちてしまう事がない。
【００２７】
上述の跳ね上げ操作とは逆に、保護シートを跳ね上げ位置から下ろす場合には、着用者は、保護シート部材を下ろすことにより、係止部に軸部がスムーズに係止され、保護シート部材が、口及び鼻の前面に顔面と略平行に配置された位置から、正面視で鼻及び口が露出する位置まで、係止部の数に応じて段階的に下ろすことができる。
【００２８】
このような段階的跳ね上げ調節機能により、本考案フェイスシールドは、係止部の数に応じて段階的に保護シート部材の角度を調整できるため、飲食等の場面においても、フェイスシールドを着用したままの状態で、飲食物や食器等の種類その他その場の状況に応じて、飛沫感染を防止しながら円滑に飲食歓談できるという効果を発揮する。
【００２９】
保護シート部材の角度の調節については、保護シート部材が可撓性を有することにより、一の係止部の一部が変形して軸部が乗り上げ、隣接する他の係止部に係止されるという作用により角度調節が可能となっている。
そのため、本考案フェイスシールドの製造工程としては、保護シート部材に取付穴部を穿孔するとともに、該取付穴部に複数の係止部を設けるだけで、前記段階的跳ね上げ調節機能を発揮する構造を形成できるので、製造も容易であり費用も低減できる。
【００３０】
また、段階的跳ね上げ調節機能は、取付穴部を穿孔した保護シートにおいて、取付穴部に複数の係止部を設けることにより、係止め部の数に応じて段階的に保護シートの跳ね上げ角度を調節する構成であって、着用者は本考案のフェイスシールドを着用したまま、保護シートの角度を跳ね上げ（跳ね下ろし）動作によって簡単に調節できるものである。
【００３１】
また、本考案においては、保護シート部材が可撓性樹脂製であることを利用して、保護シート部材を取付穴部が拡開するように変形するとともに、段付き突起部を着脱可能に設けることにより、保護シート部材が汚損して透明性が損なわれた場合には、保護シート部材を段付き突起部ごとフレーム部材から取り外して、簡単に新しい保護シート部材と交換可能に構成することもできる。
【００３２】
段付き突起部を設けた構成の場合には、保護シート部材の交換の際に、段付き突起部を手指で持って交換することができるので、飛沫等で汚損された保護シートに直接触れることなく、保護シート部材の交換をすることができる。
【００３３】
かかる保護シート部材交換機能を発揮する構成とすれば、保護シート部材の透明性を確保しつつ、保護シート部材を常に衛生的に保持することができるので、フェイスシールドに接触することによる接触感染も防止することを可能とする。
【００３４】
一方、フレーム部材のフロント部は、ブローバー部、鼻当て部、ブリッジ部及び智部を一体に成形された構成とし、部品同士のつなぎ目が無い構成とした場合には、隙間に汚れ等が溜まらず、汚れても洗浄しやすいという効果がある。
【図面の簡単な説明】
【００３５】
【図１】本考案の実施例１におけるフェイスシールドを表す正面図及び側面図である。
【図２】本考案の実施例１におけるフレーム部材の正面図、平面図並びに段付き突起部の平面拡大図及び側面拡大図である。
【図３】本考案の実施例１における保護シート部材の展開図及び取付穴部の拡大図である。
【図４】本考案の実施例１における跳ね上げの様子及び各保持位置における段付き突起部と係止部の位置関係を表す側面図である。
【図５】本考案の実施例１におけるフェイスシールドの装着例を表す側面図である。
【図６】本考案の実施例２及び実施例３におけるフェイスシールドを表す正面図である。
【考案を実施するための形態】
【００３６】
『実施例１』
本考案の実施例１について、図１〜図５に基づいて説明する。なお、本考案はこれらの添付図面に示す態様に限定されるものではない。
【００３７】
（実施例１の基本構成）
本実施例におけるフェイスシールド１は、図１(a)に示すように、いわゆる眼鏡型のフレーム部材２と、このフレーム部材２に取着される保護シート部材３とから構成されている。フレーム部材２を図１(b)に示すように耳に掛けて装着することで、保護シート部材３が顔面の前面を覆うように配置される。
【００３８】
本実施例では、眼鏡型のフレーム部材２を採用していることにより、着脱が容易で髪型も崩れず、どのような人でも違和感なく装着できるとともに、顔面前面の保護シート部材３により自身の飛沫の拡散を防止し、外部からの飛沫の付着や吸引を防止することができる。
【００３９】
（フレーム部材の構成）
本実施例のフレーム部材２は、図２(a)に示すように、透明のポリカーボネート樹脂を射出成形して形成されたフロント部2aと、智部2e・2eにヒンジ連結されることで回動自在に取着されるテンプル部４とから構成されている。
フレーム部材２が透明であることにより、着用時にフレーム部材２が目立たず、対面のコミュニケーションにおいて、対面者に与える違和感を軽減することができる。なお、フレーム部材２の材料は、透光性を有するものであれば他の樹脂材料を用いることもできる。
【００４０】
また、フロント部2aは、ブローバー部2b・2b、鼻当て部2c、ブリッジ部2d及び智部2e・2eが一体に成形され、各部のつなぎ目の無い形状である。このように、各部を一体に形成することによって、一般的な眼鏡のように部品の接合部の隙間に汚れが詰まることなく衛生的であるとともに、洗浄もし易い。同様の理由から、各部の形状はなるべく円滑で隙間や段差を有しない形状であることが好ましい。
【００４１】
前記智部2e・2eには、図２(b)(c)に示すように、左右それぞれの外側の面から突出した段付き突起部2f・2fが形成されている。この段付き突起部2f・2fは、智部2e・2eから突出した横長で角丸の長方形状を断面形状に有する軸部2g・2gと、前記軸部2g・2gの先端に設けられた軸部2g・2gの断面形状を相似的に拡幅した抜け止め部2h・2hとからなる。この段付き突起部2f・2fへの保護シート部材３の取付けについては後述する。
【００４２】
また、図２(a)に示すように、鼻当て部2cは、その先端部が一般的な眼鏡よりも長大に延設されており、着用時には、一般の眼鏡の鼻当てが当接する鼻背両側の部分よりも鼻尖寄りの位置に当接するようになっている。
これにより、着用時には、ブローバー部2b・2bが額寄りに配置されることとなり、通常の眼鏡やサングラスを着用した状態であっても本実施例のフェイスシールド１を重ねて着用することができる。
【００４３】
（保護シート部材の構成）
本実施例の保護シート部材３は、可撓性の透明ポリカーボネート樹脂製のシート材を打ち抜いて成形されており、フェイスシールド１を装着した際に、眉毛付近から顎先までを覆うことで、鼻と口とを飛沫から防止することができるような形状をなしている。保護シート部材３の材料は、可撓性であり透光性のある樹脂シート材であれば、ポリスチレンテレフタレート等の他の素材を用いることもできる。
【００４４】
透光性のある樹脂シートが鼻と口とを覆うことにより、対面のコミュニケーションにおいて、飛沫の拡散、付着等を防止しつつ、着用者の表情を視認しながら円滑なコミュニケーションが可能となる。
【００４５】
本実施例では、図１(a)に示すように、顔の輪郭に沿った盾形の形状をしているが、少なくとも鼻と口とを覆う事ができればこのような形状に限定されない。
【００４６】
また、本実施例の保護シート部材３は、図３(a)に示すように、飛沫防止部分であるシールド部3aの略中心位置に縦方向の折り目部3bを形成し、二つ折りにすることができるものである。この折り目部3bは交換用保護シート部材３を複数梱包する際にコンパクトにするために設けられているが、折り目部3aを有さない構成としてもよい。
【００４７】
この保護シート部材３の左右それぞれの上端部には、図３(a)(b)に示すように、取付穴部3c・3cが穿設されている。この取付穴部3cは、フレーム部材２の智部2eから突設する段付き突起部2fを嵌入させるための穴である。
【００４８】
（取付穴部の構成）
前記取付穴部3cは、３つの係止部3d・3e・3fから構成されている。
この点について詳述すると、図３(b)に示すように、取付穴部3cは、軸部2gの横断面形状とほぼ同一か相似的にやや拡幅した大きさ、形状の横長の穴を３つ、それぞれ角度が異なるように重ねて配置した場合の最外形を繋げた形状をなしている。
【００４９】
このような形状の取付穴部3cにおいて、第一の係止部3dは、テンプル４と平行な方向の横長の穴によって形成される、先端及び後端の部位である。
同様に、第二の係止部3eは、第一の係止部3dを形成している横長の穴の先端を所定角度下向きに回転させた場合における、当該横長の穴の先端及び後端の部位である。
さらに、第三の係止部3fは、第二の係止部3eを形成している横長の穴の先端をさらに所定角度下向きに回転させた場合における、当該横長の穴の先端及び後端の部位である。
本実施例では係止部の数は３つであるが、この数や各係止部の角度は適宜変更することができる。
【００５０】
前記のような形状の係止部から成る取付穴部3cに段付き突起部2fを取り付ける場合には、フレーム部材２の段付き突起部2fに、保護シート部材３の段付き突起部2fの抜け止め部2hの先端と後端が、例えば第一の係止部3dの先端と後端に合致するように当接し、力を入れて押込む操作により取り付ける。
【００５１】
保護シート部材３が可撓性を有することにより、押込むことで取付穴部3cがやや広がるように弾性的に変形し、抜け止め部2hを乗り上げ、軸部2gが挿通した状態することができる。
これは、取付穴部3cの形状が、単に軸部2gの断面形状と略同一の形状の穴であった場合には広がりにくいが、複数の孔が角度をもって重なった最外形を繋いだ形状であることにより空間部分が多くなり、孔の稜線が逃げて広がりやすくなっているため取り付けやすい。
【００５２】
一方、取付けた後は、取付穴部3cの変形が元に戻るため、取付穴部3cは抜け止め部2hにより係止することで、容易には抜けなくなる。
しかし、力を入れて引っ張れば、取り付け時と同様の機構により、取付穴部3cが広がるように変形し、抜け止め部2hを乗り上げて取り外すことが可能である。
【００５３】
（保護シート部材の角度変更のしくみ）
本実施例のフェイスシールド１は、以上のような機構によりフレーム部材２に保護シート部材３を着脱することができるが、例えば保護シート部材３のシールド部3aが口と鼻とを覆う位置になるように取付穴部3cに段付き突起部2fを取り付けた後、図４(a)
に示すように、所定の角度になるように保護シート部材３を上方に跳ね上げる場合には、以下の機構により実現される。
【００５４】
即ち、着用者は、図４(a)に示すように、保護シート部材３の下方端を持ち、上方に持ち上げる操作を行うことで上方に跳ね上げることができる。
持ち上げる前の状態においては、図４(b)に示すように、段付き突起部2fは第一の係止部3d・3dに係止している。この状態において、保護シート部材３を持ち上げる操作をすることで、第一の係止部3d・3dと第二の係止部3e・3eとの間の鋭角部分が弾性的に変形し、軸部2gを乗り上げ、第二の係止部3e・3eに係止し、図４(c)の状態となる。
【００５５】
これにより、保護シート部材３は、口元が僅かに露出した状態となり、例えばコップ入りの飲料をストローで飲む場合に、必要最小限の露出量で感染のリスクを最小限に抑えながら飲むことが可能となる。
【００５６】
さらに保護シート部材３の下方端を上方に持ち上げる操作を行うと、前記同様の機構により、軸部2gは、第二の係止部3e・3eから、第三の係止部3f・3fに係止される。
これにより、保護シート部材３は、口元が大きく露出した状態となり、例えば前記イ飲料を、コップに口をつけて飲む場合に、コップが保護シールド部材３に干渉することなく飲むことが出来る。
【００５７】
また、これと逆の操作を行うことで、同様の機構により、跳ね上げた保護シート部材３を元の角度に戻すことができる。
【００５８】
以上のように、着用者は、フレーム部材２を外すことなく、必要に応じて保護シート部材３を上方に跳ね上げ或いは下ろすことができ、その操作も保護シート部材３の下端部を持って上方或いは下方に動かすだけであり、容易である。
【００５９】
（フェイスシールドの装着例）
本実施例のフェイスシールド１は、眼鏡のように掛けることができるものであるから、様々な態様で装着することができ、例えば図５(a)に示すように、段付き突起部2fを第一の係止部3dに係止した状態で、フロント部2aが頭上に載置された状態に装着することもできる。
これにより、咄嗟に顔面全体が露出するようにしたい場合にフェイスシールド１を完全に外すことなく露出させることができ、その後直ちに顔面を覆う状態に戻すことができる。
【００６０】
また、図５(b)に示すように、段付き突起部2fを第二の係止部3eに係止した状態で、テンプル４を首に掛けた状態とすることで、同様に、咄嗟に顔面全体が露出するようにしたい場合にフェイスシールド１を完全に外すことなく露出させることができ、保護シート部材３が胸元に干渉することもない。
【００６１】
以上のように、本実施例のフェイスシールド１は、対面のコミュニケーションにおいて、感染の防止を図りつつ、円滑なコミュニケーションを実現するとともに、飲食等において感染防止効果を可能な限り維持した状態で喫食等を行うことができるものである。
【００６２】
『実施例２』
本考案は上記実施例に限定されるものではなく、「実用新案登録請求の範囲」の記載内において種々の変更が可能であって、例えば、図６(a)に示す実施例２のように、保護シート部材３の形状を、目の部分を開口した形状としてもよい。
これにより、着用者の視認性が良くなり、対面者からも表情がより視認しやすくなるという効果がある。
【００６３】
『実施例３』
また、図６(b)に示す実施例３のように、保護シート部材３の形状を、額の上から顎先までを覆う形状としてもよい。
これにより、顔面の保護範囲がより広くなり、感染リスクを更に低減させることができる。
【符号の説明】
【００６４】
１  フェイスシールド
２  フレーム部材
2a  フロント部
2b  ブローバー部
2c  鼻当て部
2d  ブリッジ部
2e  智部
2f  段付き突起部
2g  軸部
2h  抜け止め部
３  保護シート部材
3a  シールド部
3b  折り目部
3c  取付穴部
3d  第一の係止部
3e  第二の係止部
3f  第三の係止部
４  テンプル部
【図１】
0003230499.tif 000003
【図２】
0003230499.tif 000004
【図３】
0003230499.tif 000005
【図４】
0003230499.tif 000006
【図５】
0003230499.tif 000007
【図６】
0003230499.tif 000008